(57)【要約】【課題】  本発明は、既存建物においても居住者が通常の生活を送りながら簡易な方法で補修工事を行うことが出来るＵ字型金物取付構造、その建物外壁面とＵ字型金物との間に介在される外壁保護金物、そのＵ字型金物取付構造で強度や長期耐久性を必要とされる外壁面の保護をする為の外壁保護方法を提供することを可能にすることを目的としている。【解決手段】  建物外壁面２とＵ字型金物４との間に該Ｕ字型金物４の建物外壁面２に対向する当接面４ａよりも大きな形状を有する平板部５ａと、該平板部５ａの一部に設けられた起立部５ｂと、平板部５ａの一部に該平板部５ａの端部から該平板部５ａの中央部に亘って貫通ボルト３の軸部の外径に対応した幅を有して形成した切欠部５ｃとを有する外壁保護金物５を介在させた構成であることを特徴とする。【選択図】      図１
2007209147.tif 000002
【特許請求の範囲】
【請求項１】
建物外壁面に対して垂直以外の方向に引張力が作用するＵ字型金物が貫通ボルトにより該建物外壁面に固定されるＵ字型金物取付構造であって、
前記建物外壁面と前記Ｕ字型金物との間に、該Ｕ字型金物の前記建物外壁面に対向する当接面よりも大きな形状を有する平板部と、該平板部の一部に設けられた起立部と、前記平板部の一部に該平板部の端部から該平板部の中央部に亘って前記貫通ボルトの軸部の外径に対応した幅を有して形成した切欠部と、を有する外壁保護金物を介在させたことを特徴とするＵ字型金物取付構造。
【請求項２】
建物外壁面に対して垂直以外の方向に引張力が作用するＵ字型金物が貫通ボルトにより該建物外壁面に固定される際に該建物外壁面と前記Ｕ字型金物との間に介在される強度や長期耐久性が必要とされる外壁を保護する為の外壁保護金物であって、
前記Ｕ字型金物の前記建物外壁面に対向する当接面よりも大きな形状を有する平板部と、該平板部の一部に設けられた起立部と、前記平板部の一部に該平板部の端部から該平板部の中央部に亘って前記貫通ボルトの軸部の外径に対応した幅を有して形成した切欠部と、を有することを特徴とする外壁保護金物。
【請求項３】
建物外壁面に対して垂直以外の方向に引張力が作用するＵ字型金物が貫通ボルトにより該建物外壁面に固定されたＵ字型金物取付構造の外壁保護方法であって、
前記引張力が作用する状態で前記貫通ボルトに締結されたナットをボルト軸から外れない程度に緩めて、前記建物外壁面と前記Ｕ字型金物との間に請求項２に記載の外壁保護金物を介在させると共に該外壁保護金物の前記切欠部に前記貫通ボルトの軸部を挿通させ、前記外壁保護金物の前記起立部を打撃して該平板部の中央部に該貫通ボルトの軸部を到達させて前記外壁保護金物の平板部を前記建物外壁面と前記Ｕ字型金物との間に挿入し、前記貫通ボルトにナットを再締結することを特徴とする外壁保護方法。
【発明の詳細な説明】
【技術分野】
【０００１】
本発明は、建物外壁面に対して垂直以外の方向に引張力が作用するＵ字型金物が貫通ボルトにより該建物外壁面に固定されるＵ字型金物取付構造、その建物外壁面とＵ字型金物との間に介在される外壁保護金物、そのＵ字型金物取付構造の外壁保護方法に関するものである。
【背景技術】
【０００２】
従来から電力線、電話線、ケーブルテレビのケーブル等を分岐して建物内に引き込む場合には、外壁面に細長い板状部材をＵ字形状に折り曲げ、その開放端側に開けた穴に棒状部材を挿通して形成したＵ字型金物を外壁の内側に裏当板を当接した状態で貫通ボルトを用いて外壁面に固定し、電柱或いは電力線等からの引き込み線を一旦、棒状部材で支持した後に建物内部に引き込むことが行われている（例えば特許文献１参照）。
【０００３】
引き込み線にはたるみ防止のために大きな張力が付与されているためＵ字型金物には常時大きな引張力（引き抜き力）が作用しており、強風時には引き込み線が直接風圧力を受けたり、電力線が受けた風圧力が引き込み線に伝達されたりするため更に大きな引張力がＵ字型金物に作用する。
【０００４】
このとき、引き込み線が壁面に対して垂直に張られていればＵ字型金物の取り付けボルトに引張力が作用するのみであり該金物の外壁面に接する部位からの外壁の表面に作用する圧縮力が増大することはない。しかし、引き込み線が壁面に対して垂直に張られている場合はまれであり、例えば建物の前面の道路に沿って架設された電力線から分岐された引き込み線を建物の道路に面していない外壁に取り付けたＵ字型金物で支持する場合、引き込み線の引張力によってＵ字型金物は引き込み線方向に回転しようとするため、Ｕ字型金物の外壁面に対向する当接面のうち、引き込み線側の当接面には圧縮力が加わる。この場合、十分な当接面積が確保されていない為、その圧縮力によって外壁面が損傷し、室内側に雨水が浸入する虞があった。
【０００５】
【特許文献１】特開平０９−０２７２２４号公報
【発明の開示】
【発明が解決しようとする課題】
【０００６】
前述の従来例での対応としてはＵ字型金物全体あるいは外壁面に対向する当接面のみを大型化することが考えられるが、これは新築工事の際に取り付けることが前提であり、引き込み線が架設されている既存建物での交換の際には既存の引き込み線をＵ字型金物から取外して他部位で仮支持し、新規のＵ字型金物を取り付けた後に再度引き込み線を架設する必要があり多大な時間と手間を要するという問題があった。そして、場合によっては工事中は電力の供給が中断し、居住者の生活に不自由を来たすという事にもなりかねない。また、既存のＵ字型金物を取り外した際に、ボルトが外壁内に埋没してしまったり室内側に抜け落ちたりする虞があり、最悪の場合は内装壁を剥がしてボルトを正規の位置に復旧する必要があった。
【０００７】
本発明は前記課題を解決するものであり、その目的とするところは、既存建物においても居住者が通常の生活を送りながら簡易な方法で外壁面保護の為に、補修工事を行うことが出来るＵ字型金物取付構造、その建物外壁面とＵ字型金物との間に介在される外壁保護金物、そのＵ字型金物取付構造の外壁保護方法を提供せんとするものである。
【課題を解決するための手段】
【０００８】
前記目的を達成するための本発明に係るＵ字型金物取付構造は、建物外壁面に対して垂直以外の方向に引張力が作用するＵ字型金物が貫通ボルトにより該建物外壁面に固定されるＵ字型金物取付構造であって、前記建物外壁面と前記Ｕ字型金物との間に、該Ｕ字型金物の前記建物外壁面に対向する当接面よりも大きな形状を有する平板部と、該平板部の一部に設けられた起立部と、前記平板部の一部に該平板部の端部から該平板部の中央部に亘って前記貫通ボルトの軸部の外径に対応した幅を有して形成した切欠部とを有する外壁保護金物を介在させたことを特徴とする。
【０００９】
また、本発明に係る外壁保護金物は、建物外壁面に対して垂直以外の方向に引張力が作用するＵ字型金物が貫通ボルトにより該建物外壁面に固定される際に該建物外壁面と前記Ｕ字型金物との間に介在される強度や長期耐久性が必要とされる外壁を保護する為の外壁保護金物であって、前記Ｕ字型金物の前記建物外壁面に対向する当接面よりも大きな形状を有する平板部と、該平板部の一部に設けられた起立部と、前記平板部の一部に該平板部の端部から該平板部の中央部に亘って前記貫通ボルトの軸部の外径に対応した幅を有して形成した切欠部とを有することを特徴とする。
【００１０】
また、本発明に係るＵ字型金物取付構造の外壁保護方法は、建物外壁面に対して垂直以外の方向に引張力が作用するＵ字型金物が貫通ボルトにより該建物外壁面に固定されたＵ字型金物取付構造の外壁保護方法であって、前記引張力が作用する状態で前記貫通ボルトに締結されたナットをボルト軸から外れない程度に緩めて、前記建物外壁面と前記Ｕ字型金物との間に請求項２に記載の外壁保護金物を介在させると共に該外壁保護金物の前記切欠部に前記貫通ボルトの軸部を挿通させ、前記外壁保護金物の前記起立部を打撃して該平板部の中央部に該貫通ボルトの軸部を到達させて前記外壁保護金物の平板部を前記建物外壁面と前記Ｕ字型金物との間に挿入し、前記貫通ボルトにナットを再締結することを特徴とする。
【発明の効果】
【００１１】
本発明に係るＵ字型金物取付構造によれば、建物外壁面に固定されたＵ字型金物に建物外壁面に対して垂直以外の方向に引張力が作用する状態で建物外壁面とＵ字型金物との間に外壁保護金物を容易に介在させ得る構造とすることが出来、従来の外壁保護金物が存在しない状態での外壁面にかかる圧縮力による損傷の可能性を大きく減ずる事が出来る。工事は簡易に可能で、既存の引き込み線やＵ字型金物を取り外す必要がなく、外部からの工事のみで外壁保護金物を建物外壁面とＵ字型金物との間に挿入することが出来るので、電力会社への工事依頼や内装を補修する大工やクロス職人等の各種職人の手配や補修材料の用意が不要で工事を短時間に終わらせることが出来る。また、電気の供給が中断することや建物内部での工事が不要なので居住者の通常の生活を妨げることがない。
【００１２】
また、本発明に係る外壁保護金物によれば、起立部をハンマー等により打撃することにより平板部に形成した切欠部に沿って貫通ボルトが該平板部の端部から中央部に移動するように外壁保護金物の位置を移動させることが出来る。これにより建物外壁面に固定されたＵ字型金物に建物外壁面に対して垂直以外の方向に引張力が作用する状態であっても建物外壁面とＵ字型金物との間に外壁保護金物を容易に挿入することが出来る。
【００１３】
また、本発明に係るＵ字型金物取付構造の外壁保護方法によれば、引張力が作用する状態で貫通ボルトに締結されたナットを外れない程度に該外壁保護金物を挿入する隙間の為、少し緩めるだけで、建物外壁面とＵ字型金物との間に外壁保護金物を容易に挿入することが出来、その後、貫通ボルトにナットを再締結するだけで工事を完了することが出来る。更に、ナットを貫通ボルトから外さないで作業を行うので、貫通ボルトが外壁内に埋没してしまったり室内側に抜け落ちたりすることがなく速やかに工事を行うことが出来る。
【発明を実施するための最良の形態】
【００１４】
図により本発明に係るＵ字型金物取付構造、外壁保護金物及びＵ字型金物取付構造の外壁保護方法の一実施形態を具体的に説明する。図１は本発明に係るＵ字型金物取付構造を示す斜視図、図２は本発明に係る外壁保護金物の構成を示す斜視図、図３は本発明に係る外壁保護金物の構成を示す三面図、図４及び図５は本発明に係るＵ字型金物取付構造の外壁保護方法を説明する図である。
【００１５】
図１において、例えば建物の前面の道路に沿って架設された電力線から分岐された引き込み線１が建物の道路に面していない建物外壁面２に貫通ボルト３及びナット６により固定されるＵ字型金物４で支持される。Ｕ字型金物４には建物外壁面２に対して垂直以外の方向（図１の矢線ａ方向）に引張力が作用する。
【００１６】
建物外壁面２とＵ字型金物４との間には外壁保護金物５が介在される。外壁保護金物５は、図２及び図３に示すように、Ｕ字型金物４の建物外壁面２に対向する当接面４ａよりも大きな形状を有する平板部５ａと、該平板部５ａの一部に設けられた起立部５ｂと、平板部５ａの一部に該平板部５ａの端部5a1から該平板部５ａの中央部5a2に亘って貫通ボルト３の軸部の外径に対応した幅を有して形成した切欠部５ｃとを有して構成される。尚、図中、孔５ｄは高所作業中に外壁保護金物５の落下を防止するために紐や針金等を挿通して上部の手摺り等に仮固定して作業を行うために設けられたものであり、孔５ｄを省略した構成でも良い。
【００１７】
外壁保護金物５の材質や厚みや大きさは特に限定されるものではないが、強度や耐久性の観点から３mm〜９mm程度の板厚で、溶融亜鉛メッキ鋼板やステンレス鋼板（例えばSUS304等）等により構成することが好ましい。
【００１８】
また、外壁保護金物５の形状はＵ字型金物４の建物外壁面２に対向する当接面４ａの外寸法よりも大きければ特に限定されるものではなく、本実施形態のように方形状に限定される必要もないが、方形状がコスト的には有利である。また、起立部５ｂは外壁保護金物５の差込時にハンマー等で叩き易いように当たり所として１５mm程度の起立高さとなるように平板部５ａから折り曲げて起立されている。
【００１９】
以下に上記Ｕ字型金物取付構造の外壁保護方法について図４及び図５を用いて説明する。先ず、図４（ａ）に示すように、引き込み線１により引張力が作用する状態でスパナ等を用いて貫通ボルト３に締結されたナット６を外壁保護金物５の厚さの隙間を確保する為にボルト軸から外れない程度に緩める。この際、貫通ボルト３が供廻りするようであれば貫通ボルト３の先端部分をパイプレンチ等で挟持し回動しないようにしてナット６を緩める。次に、図４（ｂ）及び図５（ａ）に示すように、引き込み線１により引っ張られてＵ字型金物４が浮き上がった側（図４（ｂ）の右側）から建物外壁面２と該Ｕ字型金物４との間に外壁保護金物５を挿入する（図５（ａ）参照）。
【００２０】
このとき、外壁保護金物５の切欠部５ｃに貫通ボルト３の軸部を挿通させ、外壁保護金物５が建物外壁面２と該Ｕ字型金物４との間に入り難い場合には外壁保護金物５の起立部５ｂをハンマー等により打撃して外壁保護金物５の切欠部５ｃが貫通ボルト３の軸部に係合しつつ外壁保護金物５を挿入する。本実施形態のＵ字型金物４は断面コ字形状で構成されており、当接面４ａにも両側に起立したエッジ部４ｂが存在するが、図５（ａ）に示すように、矢線ｂ方向にＵ字型金物４を手の力等により押して倒した状態で外壁保護金物５の起立部５ｂをハンマー等により打撃することにより外壁保護金物５を建物外壁面２とＵ字型金物４との間に挿入することが出来る。尚、エッジ部４ｂが存在しない形状のＵ字型金物４であれば、矢線ｂ方向にＵ字型金物４を倒すという操作を施すことなく挿入することが出来る。
【００２１】
そして、切欠部５ｃに沿って平板部５ａの中央部に貫通ボルト３の軸部を到達させて外壁保護金物５の平板部５ａを建物外壁面２とＵ字型金物４との間に挿入し、貫通ボルト３にナット６を再締結する（図５（ｂ）参照）。この際、貫通ボルト３が供廻りするようであれば、緩める場合と同様に貫通ボルト３の先端部分をパイプレンチ等で挟持し回動しないようにしてナット６を再締結する。
【００２２】
その後、図１に示すように、外壁保護金物５の周囲や切欠部５ｃの露出部等の外壁保護金物５と建物外壁面２との隙間、Ｕ字型金物４と外壁保護金物５との隙間、貫通ボルト３及びナット６の周囲等の各領域にプライマー塗装を施した後、それらの各隙間にウレタン等のシーリング材７を充填し、該シーリング材７の表面等に建物外壁面２と同色等の表面塗装を施す。
【００２３】
外壁保護金物５はＵ字型金物４を中心にして建物外壁面２に沿って所望の方向から挿入することが出来、建物外壁面２に設けられた電話線引き込み等の諸々の装備品に対応して挿入スペースが確保出来る所望の方向から建物外壁面２とＵ字型金物４との間に挿入することが出来る。
【００２４】
尚、本実施形態の外壁保護金物５は、図２及び図３に示すように、平板部５ａの起立部５ｂ側以外の３方向の辺の端部が直角に形成された一例であるが、それらの端部を円弧状に形成したり、テーパ面を形成することにより外壁保護金物５を挿入する際に建物外壁面２表面を傷付けないようにすることも出来る。
【産業上の利用可能性】
【００２５】
本発明の活用例として、電力線や電話線、ケーブルテレビのケーブル等の引き込み線によって建物外壁面に対して垂直以外の方向に引張力が作用するＵ字型金物が貫通ボルトにより該建物外壁面に固定されるＵ字型金物取付構造、その建物外壁面とＵ字型金物との間に介在される外壁保護金物、そのＵ字型金物取付構造の外壁保護方法に適用出来る。
【図面の簡単な説明】
【００２６】
【図１】本発明に係るＵ字型金物取付構造を示す斜視図である。
【図２】本発明に係る外壁保護金物の構成を示す斜視図である。
【図３】本発明に係る外壁保護金物の構成を示す三面図である。
【図４】本発明に係るＵ字型金物取付構造の外壁保護方法を説明する図である。
【図５】本発明に係るＵ字型金物取付構造の外壁保護方法を説明する図である。
【符号の説明】
【００２７】
１…引き込み線
２…建物外壁面
３…貫通ボルト
４…Ｕ字型金物
４ａ…当接面
４ｂ…エッジ部
５…外壁保護金物
５ａ…平板部
5a1…端部
5a2…中央部
５ｂ…起立部
５ｃ…切欠部
５ｄ…孔
６…ナット
７…シーリング材
【図１】
2007209147.tif 000003
【図２】
2007209147.tif 000004
【図３】
2007209147.tif 000005
【図４】
2007209147.tif 000006
【図５】
2007209147.tif 000007